(57)【要約】【課題】  蓋部材が収納本体を密封していない使用状況の発生を防止することによって、試験紙を良好に保管することができる収納容器を得る。【解決手段】  その一端部が開口した筒状の収納本体１と、収納本体１の一端部をねじ機構３によって開閉可能な蓋部材２と、蓋部材２の上壁の内面に設けられたシール部材４と、収納本体１の一端部の外周面及び蓋部材２の周壁の内周面に設けられた報知機構５とを備え、収納本体１に対して蓋部材２が所定の角度回転された時点から収納本体１に対して蓋部材２が完全に回転締めされる時点にかけて、シール部材４が収納本体１の一端部に密着して収納本体１が密封状態になると同時に、報知機構５が該密封状態を報知するようにした。【選択図】  図２
2016188104.tif 000002
【特許請求の範囲】
【請求項１】
その一端部が開口した筒状の収納本体と、前記収納本体の一端部をねじ機構によって開閉可能な蓋部材と、前記蓋部材の上壁の内面に設けられたシール部材と、前記収納本体の一端部の外周面及び前記蓋部材の周壁の内周面に設けられた報知機構とを備え、
前記収納本体に対して前記蓋部材が所定の角度回転された時点から該収納本体に対して該蓋部材が完全に回転締めされる時点にかけて、前記シール部材が該収納本体の一端部に密着して該収納本体が密封状態になると同時に、前記報知機構が該密封状態を報知することを特徴とする収納容器。
【請求項２】
前記所定の角度は３０度〜１２０度であり、前記収納本体に対して前記蓋部材が完全に回転締めされた時点で回転された角度は９０度〜１８０度であることを特徴とする請求項１に記載の収納容器。
【請求項３】
前記ねじ機構は、前記蓋部材の周壁の内周面に設けられた雌ねじ条と、前記収納本体の一端部の外周面に設けられた雄ねじ条とを備え、前記雌ねじ条及び前記雄ねじ条はいずれも２条であり、該雌ねじ条及び該雄ねじ条のピッチはいずれも３ｍｍ〜１０ｍｍであることを特徴とする請求項１に記載の収納容器。
【請求項４】
前記報知機構は、前記収納本体の一端部の外周面に設けられ、該外周面の周方向に配列された複数の収納本体側突起と、前記蓋部材の周壁の内周面に設けられ、該内周面の周方向に配列された複数の蓋部材側突起とを備え、
前記収納本体に対して前記蓋部材が所定の角度回転された時点から該収納本体に対して該蓋部材が完全に回転締めされる時点にかけて、前記収納本体側突起が前記蓋部材側突起に触れて報知音及び／又は振動を発生させることを特徴とする請求項１に記載の収納容器。
【請求項５】
前記蓋部材側突起の縦方向の寸法は横方向の寸法よりも大きくなるように設けられ、前記収納本体側突起の個数は４つであり、前記蓋部材側突起の個数が該収納本体側突起の個数よりも多くなっていることを特徴とする請求項４に記載の収納容器。
【請求項６】
前記シール部材は前記蓋部材の上壁の内面から下方へ垂直に延伸しており、前記蓋部材の上壁の内面のうち、前記シール部材の基部付近であって該シール部材よりも周壁側の部分には、凹溝が形成されていることを特徴とする請求項１に記載の収納容器。
【請求項７】
前記蓋部材の上壁の外面には、印字部となる凹部が形成されていることを特徴とする請求項１に記載の収納容器。
【請求項８】
前記収納本体は着色周面と着色底面とを備えることを特徴とする、請求項１乃至７のいずれか１項に記載の収納容器。
【発明の詳細な説明】
【技術分野】
【０００１】
本発明は、医療用の試験紙を収納する収納容器に関する。
【背景技術】
【０００２】
医療用の試験紙には吸湿性があり、収納容器の蓋部材がしっかりと回転締めされていなかった場合には、収納容器から試験紙を取り出してみると、試験紙が吸湿又は受光して変質していて、検査結果に影響が生じて商品の質が損なわれてしまうことがある。
【０００３】
従来、一般に使用されている収納容器は収納本体と、収納本体の開口部に螺着される蓋部材とを備えている（例えば、特許文献１参照。）。このような収納容器を医療用の試験紙の収納容器として使用する場合、蓋部材で収納本体を強く締め付けるようにして閉じることが求められるが、収納本体の開口部に螺着される蓋部材は、開口部を密封するためには、少なくとも複数回回転しなければ完全に密封することができない構成となっている。
【先行技術文献】
【特許文献】
【０００４】
【特許文献１】特開平８−３３７２５６号公報
【発明の概要】
【発明が解決しようとする課題】
【０００５】
上記のような収納容器では、収納本体の開口部が蓋部材により完全に締め付けられて密封されているかどうかの確認は、操作する人の締め付け力の感覚に委ねられている。そのため、蓋部材の回転不足による締め付けの不十分による非密封状態での使用状況がよく起こり得る。また、蓋部材を複数回回転しなければ完全に密封することができない構成であるため、このような収納本体の開口部を密封する操作は手間がかかり、蓋部材の回転不足による締め付けの不十分を引き起こし易い。
これにより、試験紙が容易に吸湿又は受光して変質し、それによって、検査結果に影響が生じて商品の質が損なわれやすくなっていた。
【０００６】
本発明は、蓋部材が収納本体を密封していない使用状況の発生を防止することによって、試験紙を良好に保管することができる収納容器を提供することを目的とする。
【課題を解決するための手段】
【０００７】
上記の目的を達成するために、請求項１に記載の発明は、その一端部が開口した筒状の収納本体と、前記収納本体の一端部をねじ機構によって開閉可能な蓋部材と、前記蓋部材の上壁の内面に設けられたシール部材と、前記収納本体の一端部の外周面及び前記蓋部材の周壁の内周面に設けられた報知機構と、を備え、前記収納本体に対して前記蓋部材が所定の角度回転された時点から該収納本体に対して該蓋部材が完全に回転締めされる時点にかけて、前記シール部材が該収納本体の一端部に密着して該収納本体が密封状態になると同時に、前記報知機構が該密封状態を報知することを特徴としている。
【０００８】
請求項１に記載の発明によれば、密封状態を報知することによって、蓋部材が収納本体を密封していない使用状況の発生を防止して、試験紙を良好に保管することができる。
【０００９】
請求項２に記載の発明は、請求項１に記載の、前記所定の角度は３０度〜１２０度であり、前記収納本体に対して前記蓋部材が完全に回転締めされた時点で回転された角度は９０度〜１８０度であることを特徴としている。
【００１０】
請求項２に記載の発明によれば、収納本体に対して蓋部材を比較的少ない角度の回転で収納本体を密封するか、又は完全に回転締めすることができ、収納本体に対する密封が容易になる。
【００１１】
請求項３に記載の発明は、請求項１に記載の、前記ねじ機構は、前記蓋部材の周壁の内周面に設けられた雌ねじ条と、前記収納本体の一端部の外周面に設けられた雄ねじ条とを備え、前記雌ねじ条及び前記雄ねじ条はいずれも２条であり、該雌ねじ条及び該雄ねじ条のピッチはいずれも３ｍｍ〜１０ｍｍであることを特徴としている。
【００１２】
請求項３に記載の発明によれば、ねじ機構のねじ条の条数を少なくし、ピッチを大きくして、収納本体の開閉を容易にしている。
【００１３】
請求項４に記載の発明は、請求項１に記載の、前記報知機構は、前記収納本体の一端部の外周面に設けられ、該外周面の周方向に配列された複数の収納本体側突起と、前記蓋部材の周壁の内周面に設けられ、該内周面の周方向に配列された複数の蓋部材側突起と、を備え、前記収納本体に対して前記蓋部材が所定の角度回転された時点から該収納本体に対して該蓋部材が完全に回転締めされる時点にかけて、前記収納本体側突起が前記蓋部材側突起に触れて報知音及び／又は振動を発生させることを特徴としている。
【００１４】
請求項４に記載の発明によれば、報知機構は構造が簡単であり、製造コストが抑えられる。
【００１５】
請求項５に記載の発明は、請求項４に記載の、前記蓋部材側突起の縦方向の寸法は横方向の寸法よりも大きくなるように設けられ、前記収納本体側突起の個数は４つであり、前記蓋部材側突起の個数が該収納本体側突起の個数よりも多くなっている。
【００１６】
請求項５に記載の発明によれば、収納本体に対して蓋部材を回転させる際に一定の傾斜があったとしても、報知音及び／又は振動を連続的に発生させることができる。
【００１７】
請求項６に記載の発明は、請求項１に記載の、前記シール部材は前記蓋部材の上壁の内面から下方へ垂直に延伸しており、前記蓋部材の上壁の内面のうち、前記シール部材の基部付近であって該シール部材よりも周壁側の部分には、凹溝が形成されていることを特徴としている。
【００１８】
請求項６に記載の発明によれば、シール部材を湾曲しやすくすることができ、それによって、収納容器の開閉容易性を損なうことなく、収納本体を効果的に密封することができる。
【００１９】
請求項７に記載の発明は、請求項１に記載の、前記蓋部材の上壁の外面には、印字部となる凹部が形成されていることを特徴としている。
【００２０】
請求項７に記載の発明によれば、印字部における印字の摩耗を防止することができる。
【００２１】
請求項８に記載の発明は、請求項１乃至７のいずれか１項に記載の、前記収納本体は着色周面と着色底面とを備えていることを特徴としている。
【００２２】
請求項８に記載の発明によれば、容器本体内の収納物の光による変質を防止することができる。
【発明の効果】
【００２３】
本発明に係る収納容器によれば、蓋部材が収納本体を密封していない使用状況の発生を防止することによって、試験紙を良好に保管することができる
【図面の簡単な説明】
【００２４】
【図１】本発明の一実施形態に係る収納容器の斜視図である。
【図２】本発明の一実施形態に係る収納容器の収納本体の斜視図である。
【図３】本発明の一実施形態に係る収納容器の収納本体の平面図である。
【図４】本発明の一実施形態に係る収納容器の蓋部材の断面図である。
【図５】本発明の一実施形態に係る収納容器の蓋部材の斜視図である。
【発明を実施するための形態】
【００２５】
以下、本発明の実施形態について図面を参照しながら説明する。
【００２６】
図１〜図５に示すように、本発明の収納容器は、その一端部１３が開口した筒状の収納本体１と、収納本体１の一端部１３をねじ機構３によって開閉可能な蓋部材２と、蓋部材２の上壁の内面に設けられたシール部材４と、収納本体１の一端部１３の外周面及び蓋部材２の周壁の内周面に設けられた報知機構５とを備えており、収納本体１に対して蓋部材２が所定の角度回転された時点から収納本体１に対して蓋部材２が完全に回転締めされる時点にかけて、シール部材４が収納本体１の一端部１３に密着して収納本体１が密封状態になると同時に、報知機構５がこの密封状態を報知する。
【００２７】
具体的には、収納本体１は着色周面１１と着色底面１２とを備えている。この収納本体１の一端部１３、すなわち着色底面１２に対向する端部は開口している。この一端部１３の直径は収納本体１のこの一端部１３以外の部分よりも短く、両者の間には段差が形成されている。
【００２８】
蓋部材２は上壁と周壁とを備えている。蓋部材２の上壁の外面には印字部となる凹部２２ａ，２２ｂが形成されている。凹部２２ａは円形であり、上壁の外面の中央部に設けられている。凹部２２ｂは環状であり、上壁の外面の外周部に設けられて、凹部２２ａを取り囲んでいる。
【００２９】
ねじ機構３は、蓋部材２の周壁の内周面に設けられた雌ねじ条３１と、収納本体１の一端部１３の外周面に設けられた雄ねじ条３２とを備えており、雌ねじ条３１及び雄ねじ条３２はいずれも２条とし、雌ねじ条３１及び雄ねじ条３２のピッチはいずれも３ｍｍ〜１０ｍｍとする。
【００３０】
シール部材４は蓋部材２の上壁の内面から下方へ垂直に延伸している。シール部材４はこの内面において１周囲むように設けられている。蓋部材２の上壁の内面のうち、シール部材４の基部付近であってシール部材４よりも周壁側の部分には、凹溝２１が形成されている。
【００３１】
報知機構５は、収納本体１の一端部１３の外周面に設けられ、この外周面の周方向に配列された複数の収納本体側突起５１と、蓋部材２の周壁の内周面に設けられ、この内周面の周方向に配列された複数の蓋部材側突起５２とを備えている。
【００３２】
収納本体側突起５１は一端部１３から突出した環状の凸部１４に設けることができる。収納本体側突起５１の個数は４つとする。
【００３３】
蓋部材側突起５２は縦方向の寸法が横方向の寸法よりも大きくなるように設けられており、蓋部材側突起５２の個数が収納本体側突起５１の個数よりも多くなっている。
【００３４】
収納本体１に対して蓋部材２が所定の角度回転された時点から収納本体１に対して蓋部材２が完全に回転締めされる時点にかけて、収納本体側突起５１が蓋部材側突起５２に触れて報知音及び／又は振動を発生させる。
【００３５】
上記所定の角度は３０度〜１２０度とし、収納本体１に対して蓋部材２が完全に回転締めされた時点で回転された角度が９０度〜１８０度とされる。
【００３６】
以上、本発明の最良の実施形態を説明したが、本発明は上述した実施形態に限定されるものではない。具体的な構造については、本発明の趣旨を逸脱しない範囲において、適宜変更することができ、上述した実施形態を任意に組み合わせてもよい。
【００３７】
例えば、上述した実施形態では、収納本体側突起５１は一端部１３から突出した環状の凸部１４に設けることができ、収納本体側突起５１の個数が４つである。ただし、本発明はこれに限定されるものではなく、収納本体側突起５１は一端部１３の周面に直接設けてもよい。また、収納本体側突起５１の個数も５つ、６つ等他の数としてもよい。
【００３８】
また、例えば、上述した実施形態では、凹部２２ａは円形であり、上壁の外面の中央部に設けられている。凹部２２ｂは環状であり、上壁の外面の外周部に設けられて、凹部２２ａを取り囲んでいる。ただし、本発明はこれに限定されるものではなく、凹部２２ａは四角形であってもよく、凹部２２ｂは枠形状であってもよい。凹部の個数も３つ又は４つ等の他の数としてもよい。
【符号の説明】
【００３９】
１  収納本体
２  蓋部材
３  ねじ機構
４  シール部材
５  報知機構
１１  着色周面
１２  着色底面
１３  一端部
１４  凸部
２１  凹溝
２２ａ，２２ｂ  凹部
３１  雌ねじ条
３２  雄ねじ条
５１  収納本体側突起
５２  蓋部材側突起
【図１】
2016188104.tif 000003
【図２】
2016188104.tif 000004
【図３】
2016188104.tif 000005
【図４】
2016188104.tif 000006
【図５】
2016188104.tif 000007